(57)【要約】【課題】長尺バーの有効長を変えることなく、作業者の体格や刃具の種類、作業条件等に応じてバランスウェイトの取付位置を調整することによって重量バランスを良好に保ち、作業性良く作業を行うことができる園芸工具を提供すること。【解決手段】回転駆動源（モータ）と、長尺バー２と、該長尺バー２の一端に取り付けられて前記回転駆動源からの回転力を受けて動作する作業部（刈刃５）を備えたコードレス草刈機（園芸工具）１において、バランスウェイト１７を位置調整可能に取り付ける。例えば、前記バランスウェイト１７を前記長尺バー２にその軸方向に沿って移動可能に取り付ける。【選択図】図１
2009072149.tif 000002
【特許請求の範囲】
【請求項１】
回転駆動源と、長尺バーと、該長尺バーの一端に取り付けられて前記回転駆動源からの回転力を受けて動作する作業部を備えた園芸工具において、
バランスウェイトを位置調整可能に取り付けたことを特徴とする園芸工具。
【請求項２】
前記バランスウェイトは、前記回転駆動源であることを特徴とする請求項１記載の園芸工具。
【請求項３】
前記バランスウェイトを前記長尺バーにその軸方向に沿って移動可能に取り付けたことを特徴とする請求項１記載の園芸工具。
【請求項４】
前記長尺バーの一端に設けられたハウジングを長尺バーに対して移動可能に取り付け、該ハウジングによって前記バランスウェイトを構成したことを特徴とする請求項１記載の園芸工具。
【請求項５】
前記長尺バーの一端に設けられたハウジングに前記バランスウェイトを位置調整可能に取り付けたことを特徴とする請求項１記載の園芸工具。
【請求項６】
前記長尺バーにハンドルを摺動可能に取り付けたことを特徴とする請求項１〜５の何れかに記載の園芸工具。
【請求項７】
前記バランスウェイトに照明装置を設けたことを特徴とする請求項１〜６の何れかに記載の園芸工具。
【請求項８】
前記照明装置を前記バランスウェイトに傾動可能に取り付けたことを特徴とする請求項７記載の園芸工具。
【発明の詳細な説明】
【技術分野】
【０００１】
本発明は、長尺バーの一端に取り付けられて回転駆動源からの回転力を受けて動作する作業部を備えた草刈機等の園芸工具に関するものである。
【背景技術】
【０００２】
従来、エンジンを駆動源とするエンジン草刈機は、ギヤを収納するギヤボックスを長尺バーの一端に連結し、該ギヤボックスに収容されたスピンドルの下端に草や枝を刈り込むための刈刃を結着し、燃料タンクと一体化されたエンジンハウジングを長尺バーの他端に連結して構成され、エンジン出力を長尺バー内の駆動シャフトとギヤボックスに収納されたギヤを介して刈刃に伝達して該刈刃を回転駆動するものが一般的である。
【０００３】
斯かるエンジン草刈機においては、長尺バーの一端に連結されたギヤボックスや刈刃と長尺バーの他端に連結されたエンジンハウジングの質量が比較的近似し、両者の間に装着される操作ハンドルを把持した状態で、刈刃が草や枝を刈り込むのに最適な位置にあるような重量バランスに保たれている。
【０００４】
ところで、エンジン草刈機は排ガスや騒音等の問題を有しているため、近年、エンジン草刈機に代えてバッテリ式のコードレス草刈機が使用されるようになってきている。
【０００５】
然るに、バッテリ式のコードレス草刈機においては、例えばエンジンハウジングの代わりにモータ及びモータハウジングを長尺バーの一端に取り付けると刈刃がほぼ最適な位置にあるような重量バランスが得られるが、バッテリを他端、即ちモータハウジングに取り付けると全体の重量バランスが崩れ、刈刃の上部にバッテリを配置しても、モータをギヤボックスに配置して他端にバッテリを配置しても刈刃側が重くなり、全体の重量バランスが崩れて操作性が悪くなっていた。
【０００６】
上記問題を解決するために長尺バーの長さを変えることができるものもあるが、有効長を変えることによって重量バランスが崩れて操作性が悪くなるとともに、余計な長尺バーを収納しなければならないためにスペース的及び重量的に問題がある。
【０００７】
又、バッテリは、通常、電圧容量を変えて取り付けることができ、その電圧容量や質量によっても重量バランスが崩れていた。このため、特許文献１には、連結杆（長尺バー）の一端に電動モータを収容したモータケースを取り付けるとともに、連結杆（長尺バー）の他端にバッテリパックを収容するバッテリケースを取り付けた電動草刈機において、容量の異なるバッテリパックをバッテリケース内に選択的に収納自在とするとともに、小容量のバッテリパックの重心位置を最大容量の重心位置に対してモータケース取付側から逆方向にオフセットする提案がなされている。
【特許文献１】実開平５−００２６２１号公報
【発明の開示】
【発明が解決しようとする課題】
【０００８】
しかしながら、作業者の体格には個人差があり、作業者の体格によって例えば操作ハンドル位置は頻繁に変えられる。又、刃具には刈刃のみならずチップソーやナイロンコード等、様々な形状のものや種類があり、それぞれ質量が異なるために重量バランスを良好に保つことは容易ではなかった。
【０００９】
又、作業条件においても、土手等の傾斜面の草等を刈る作業では、土手の上側から作業する場合では長尺バーを平地での作業時よりも下向きにする必要があり、土手の下側から作業する場合では長尺バーを上向きにして作業する必要があり、操作ハンドルで長尺バーを傾けつつ、足場の悪い場所で操作する作業は容易ではなかった。
【００１０】
特許文献１において提案された電動草刈機は、バッテリパックのみに対応したもので、バッテリケースの大きさは最大容量のバッテリパックに合わせているため、小容量のバッテリパックを使用する場合には、バッテリケースだけは大きくてスペース的に無駄となるばかりではなく、刃具の種類や作業者の体格差に合わせた配慮はなされていない。
【００１１】
本発明は上記問題に鑑みてなされたもので、その目的とする処は、長尺バーの有効長を変えることなく、作業者の体格や刃具の種類、作業条件等に応じてバランスウェイトの取付位置を調整することによって重量バランスを良好に保ち、作業性良く作業を行うことができる園芸工具を提供することにある。
【課題を解決するための手段】
【００１２】
上記目的を達成するため、請求項１記載の発明は、回転駆動源と、長尺バーと、該長尺バーの一端に取り付けられて前記回転駆動源からの回転力を受けて動作する作業部を備えた園芸工具において、バランスウェイトを位置調整可能に取り付けたことを特徴とする。
【００１３】
請求項２記載の発明は、請求項１記載の発明において、前記バランスウェイトは、前記回転駆動源であることを特徴とする。
【００１４】
請求項３記載の発明は、請求項１記載の発明において、前記バランスウェイトを前記長尺バーにその軸方向に沿って移動可能に取り付けたことを特徴とする。
【００１５】
請求項４記載の発明は、請求項１記載の発明において、前記長尺バーの一端に設けられたハウジングを長尺バーに対して移動可能に取り付け、該ハウジングによって前記バランスウェイトを構成したことを特徴とする。
【００１６】
請求項５記載の発明は、請求項１記載の発明において、前記長尺バーの一端に設けられたハウジングに前記バランスウェイトを位置調整可能に取り付けたことを特徴とする。
【００１７】
請求項６記載の発明は、請求項１〜５の何れかに記載の発明において、前記長尺バーにハンドルを摺動可能に取り付けたことを特徴とする。
【００１８】
請求項７記載の発明は、請求項１〜６の何れかに記載の発明において、前記バランスウェイトに照明装置を設けたことを特徴とする。
【００１９】
請求項８記載の発明は、請求項７記載の発明において、前記照明装置を前記バランスウェイトに傾動可能に取り付けたことを特徴とする。
【発明の効果】
【００２０】
請求項１〜５記載の発明によれば、作業者の体格や刃具の種類、作業条件等に応じてバランスウェイトの取付位置を調整することによって、長尺バーの有効長を変えることなく、園芸工具の重量バランスを良好に保つことができ、所要の作業を作業性良く行うことができる。
【００２１】
請求項６記載の発明によれば、バランスウェイトと共にハンドルの長尺バーへの取付位置を調整することによって園芸工具の重量バランスを良好に保つことができ、重量バランスの調整範囲を拡大することができる。
【００２２】
請求項７記載の発明によれば、バランスウェイトに設けられた照明装置によって作業部位を照明して作業を作業性良く効率的に行うことができる。
【００２３】
請求項８記載の発明によれば、照明装置の取付角度を調整して必要な部位を適切に且つ広範囲に照明することができる。
【発明を実施するための最良の形態】
【００２４】
以下に本発明の実施の形態を添付図面に基づいて説明する。
【００２５】
＜実施の形態１＞
図１は本発明の実施の形態１に係るコードレス草刈機の側面図、図２は図１のＡ−Ａ線断面図、図３は図２の矢視Ｂ方向の図である。
【００２６】
図１に示すコードレス草刈機１は、長尺バー２を備え、その下端部にはモータハウジング３が連結固定されており、該モータハウジング３の内部には不図示のモータ及びスピンドルが収納されている。ここで、モータの回転はスピンドルに伝達されるが、該スピンドルにはフランジ４が圧入固定され、スピンドルの下端部には円板状の刈刃５がフランジ４とナット６によって固定されている。
【００２７】
又、長尺バー２の上端部には、スイッチハンドル７がネジ８によって取り付けられており、このスイッチハンドル７にはバッテリケース９が一体に形成されている。そして、スイッチハンドル７には、前記モータをＯＮ／ＯＦＦするスイッチ１０が収納され、バッテリケース９には駆動源としてのバッテリ１１が収納されている。尚、図２に示すように、バッテリ１１とモータとを繋ぐ電源コード１２は長尺バー２の内部に通されている。
【００２８】
更に、長尺バー２の長手方向略中央のバッテリケース９に近い位置には操作ハンドル１１３が固定ネジ１４によって摺動可能に固定されており、長尺バー２の操作ハンドル１３とバッテリケース９の間には肩掛けバンド１５が取付金具１６によって取り付けられている。そして、長尺バー２の取付金具１６とバッテリケース９との間には銅製のバランスウェイト１７が移動可能に取り付けられている。
【００２９】
図２及び図３に示すように、上記バランスウェイト１７は、幅広の上クランプ１８と該上クランプ１８の幅方向中央に配された幅狭の下クランプ１９の各一端同士をピン２０によって回転可能に連結して構成され、上クランプ１８と下クランプ１９の各他端には長尺バー２の外周の沿った円弧状の凹部１８ａ，１９ａがそれぞれ形成され（図２参照）、これらの凹部１８ａ，１９ａ間に長尺バー２が挟持されている。又、上クランプ１８と下クランプ１９の長手方向中央部にはボルト２１が挿通しており、このボルト２１の端部に螺合する蝶ナット２２を締め付けることによってバランスウェイト１７が長尺バー２に取り付けられる。そして、蝶ナット２２を緩めることによってバランスウェイト１７の固定を解除し、該バランスウェイト１７を長尺バー２に沿って移動させた後、再び蝶ナット２２を締め付けてバランスウェイト１７を長尺バー２に固定することによって該バランスウェイト１７の位置を任意に調整することができる。
【００３０】
次に、以上のように構成されたコードレス草刈機１の動作を説明する。
【００３１】
草刈作業時には作業者は肩掛けバンド１５を肩に掛け、操作ハンドル１３とスイッチハンドル７を軽く握った状態で長尺バー３を前傾させ、刈刃５を不図示の地面から数ｃｍ浮かせた状態で全体の重量バランスが良好に保たれるように指で蝶ナット２２を緩め、バランスウェイト１７を長尺バー２に沿って移動させてその位置を調整し、重量バランスが取れた位置で蝶ナット２２を締め付けてバランスウェイト１７をその位置に固定する。
【００３２】
上述のようにしてコードレス草刈機１全体の重量バランスを良好に保った状態で、スイッチ１０をＯＮしてバッテリから電源コード１２を介して不図示のモータに給電がなされると、該モータが起動されてその回転が不図示のスピンドルに伝達され、該スピンドルとこれに結着された刈刃５が所定の速度で回転駆動され、刈刃５によって草や枝が刈り込まれる。
【００３３】
以上のように、本実施の形態では、作業者の体格や刃具の種類、作業条件等に応じてバランスウェイト１７の取付位置を調整することができるため、長尺バー２の有効長を変えることなく、コードレス草刈機１の重量バランスを良好に保つことができ、所要の草刈作業を作業性良く行うことができる。
【００３４】
又、長尺バー２に操作ハンドル１３を摺動可能に取り付けたため、バランスウェイト１７と共に操作ハンドル１３の長尺バー２への取付位置を調整することによってコードレス草刈機１の重量バランスを良好に保つことができ、重量バランスの調整範囲を拡大することができる。
【００３５】
尚、バランスウェイト１７は長尺バー２の任意の位置に取り付け可能であり、バランスウェイト１７が取り付けられるような部位をコードレス草刈機１のどこに設けても良い。例えば、スイッチハンドル７のガードバー７Ａにバランスウェイト１７を取り付けることもできる。
【００３６】
＜実施の形態２＞
次に、本発明の実施の形態２を図４及び図５に基づいて説明する。
【００３７】
図４は本発明の実施の形態２に係るコードレス草刈機上端部の破断側面図、図５は図４のＣ−Ｃ線断面図であり、本実施の形態は、スイッチハンドル７とバッテリケース９とを別体とし、バッテリケース９をバランスウェイトとして利用し、該バッテリケース９をスイッチハンドル７に対して移動可能としたことを特徴としている。
【００３８】
本実施の形態では、スイッチハンドル７の一端がネジ８によって長尺バー２の上端に固定され、該スイッチハンドル７の他端部は円筒状に形成されている。又、バッテリケース９は、バッテリ１１を収納固定しており、その軸中心部には、スイッチハンドル７の端部外周に緩く嵌合する嵌合部９Ａが形成されている。そして、このバッテリケース９の嵌合部９Ａの端部内周にはプラスチック製のリング状ストッパ２３が嵌着されており、このストッパ２３によってバッテリケース９のスイッチハンドル７に対する軸方向移動が規制されている。
【００３９】
又、図５に示すように、バッテリケース９には軸方向に長いスリット状のすり割溝９ａが形成されており、このすり割溝９ａの両側には一対の鍔部９Ｂが径方向外方に突設されている。そして、各々の鍔部９Ｂにはネジ２４が通され、該ネジ２４の端部に螺合する蝶ナット２５を締め付けることによってバッテリケース９の内径が小さくなり、該バッテリケース９がスイッチハンドル７の端部外周に固定される。
【００４０】
ところで、スイッチハンドル７の端部外周の相対向する２箇所にはキー溝７ａが形成されており、バッテリケース９の嵌合部９Ａ内周の相対向する２箇所にも軸方向に長いキー溝９ｂが形成されており、対を成す各キー溝７ａ，９ｂにはキー２６がそれぞれ打ち込まれている。これによって、バッテリケース９は、回転が規制されつつ軸方向に所定の範囲内で移動することができる。尚、バッテリケース９とスイッチハンドル７のスイッチ１０とは伸縮可能な電源線２７によって電気的に接続されている。
【００４１】
而して、草刈作業に際して全体の重量バランスが崩れている場合には、指で蝶ナット２５を緩め、バランスウェイトとして機能するバッテリケース９をスイッチハンドル７に沿って重量バランスが良くなる方向へ移動させてその位置を調整し、重量バランスが取れた位置で蝶ナット２５を締め付けてバッテリケース９をその位置に固定することができる。
【００４２】
従って、本実施の形態においても、作業者の体格や刃具の種類、作業条件等に応じてバッテリケース９の取付位置を調整することができるため、長尺バー２の有効長を変えることなく、コードレス草刈機１の重量バランスを良好に保つことができ、所要の草刈作業を作業性良く行うことができる。
【００４３】
＜実施の形態３＞
次に、本発明の実施の形態３を図６〜図９に基づいて説明する。
【００４４】
図６は本発明の実施の形態３に係るコードレス草刈機の側面図、図７はモータ駆動軸の横断面図、図８はモータケース組の破断側面図、図９は図８のＤ−Ｄ線断面図である。
【００４５】
本実施の形態に係るコードレス草刈機１は、図６に示すように、長尺バー２の下端部にギヤボックス２８を固定し、長尺バー２の上端部にバランスウェイトとして機能するモータケース組２９を取り付けて構成されている。ここで、図示しないが、ギヤボックス２８内にはギヤとスピンドルが回転可能に収容されており、スピンドルにはフランジ４が圧入固定され、スピンドルの下端部には円板状の刈刃５がフランジ４とナット６によって固定されている。
【００４６】
又、長尺バー２の上端部にはアダプタ３０がネジ３１によって固定されており、このアダプタ３０には前記モータケース組２９が軸方向に移動可能に取り付けられている。ここで、モータケース組２９は、図８に示すように、モータ３２を収納するモータケース３３と不図示のバッテリを収納するバッテリボックス３４を一体化して構成されている。
【００４７】
ところで、図６に示すように、長尺バー２の長手方向略中央のモータケース３３側に近い位置には、両手で把持操作するＵ形状のスイッチ操作ハンドル３５が固定され、該スイッチ操作ハンドル３５とモータケース３３の間には取付金具１６が固定されており、この取付金具１６には肩掛けバンド１５が取り付けられている。尚、前記スイッチ操作ハンドル３５には、モータ３２を起動／停止するためのスイッチ１０が装備されている。
【００４８】
又、図８に示すように、長尺バー２はパイプによって構成されており、その内部には駆動シャフト３６が回転可能に挿通している。そして、この駆動シャフト３６の一端にはソケット３７が結着されており、このソケット３７にはモータ３２の出力軸３２ａが挿入嵌合によって連結されている。ここで、モータ３２の出力軸３２ａは、図７に示すような二面幅が形成されることによってその横断面形状が非円形とされ、ソケット３７の軸中心には同様の横断面形状の嵌合穴３７ａが形成されており、この嵌合穴３７ａに出力軸３２ａが挿入嵌合されることによって該出力軸３２ａと駆動シャフト３６とが軸方向に相対移動可能に連結され、モータ３２の出力軸３２ａの回転がソケット３７を介して駆動シャフト３６に伝達される。尚、図示しないが、駆動シャフト３６の他端は、ギヤボックス２８内のギヤを介してスピンドルに連結されている。
【００４９】
ここで、図８に示すように、前記アダプタ３０のモータケース３３側の端部にはリング状の鍔部３０Ａが一体に形成されており、該鍔部３０Ａの外周にはスプライン３０ａが刻設されている。
【００５０】
又、モータケース３３のアダプタ３０側の軸中心部には嵌合孔３３Ａが形成されており、この嵌合孔３３Ａの内周にはスプライン３３ａが刻設されている。そして、モータケース３３の嵌合孔３３Ａがアダプタ３０の一端に通され、その内周に刻設されたスプライン３３ａがアダプタ３０の鍔部３０Ａに刻設されたスプライン３０ａに嵌合することによってモータケース組２９がアダプタ３０に対して所定の範囲内で軸方向に移動可能に保持されている。ここで、モータケース３３の端部にはストッパ３８が嵌着されており、このストッパ３８は、モータケース組２９の摺動ガイドと抜け止めとしての機能を果たす。
【００５１】
更に、図９に示すように、ストッパ３８には軸方向に長いスリット状のすり割溝３８ａが形成されており、該すり割溝３８ａの両側には一対のフランジ３９が径方向外方に向かって一体に突設されている。そして、各フランジ３９にはネジ４０が通され、該ネジ４０の端部には蝶ナット４１が螺合している。従って、蝶ナット４１を締め付けてストッパ３８の内径を小さくすることによってモータケース組２９をアダプタ３０に固定することができる。
【００５２】
而して、草刈作業に際しては、作業者は肩掛けバンド１５を肩に掛け、操作ハンドル１３とモータケース組２９を軽く握り、全体の重量バランスが崩れている場合には、指で蝶ナット４１を緩め、バランスウェイトとして機能するモータケース組２９をアダプタ３０に沿って重量バランスが良くなる方向へ移動させてその位置を調整し、重量バランスが取れた位置で蝶ナット４１を締め付けてモータケース組２９をその位置に固定すればコードレス草刈機１の重量バランスを良好に保つことができる。
【００５３】
従って、本実施の形態においても、作業者の体格や刃具の種類、作業条件等に応じてモータケース組２９の取付位置を調整することができるため、長尺バー２の有効長を変えることなく、コードレス草刈機１の重量バランスを良好に保つことができ、所要の草刈作業を作業性良く行うことができる。
【００５４】
尚、本実施の形態においては、モータケース組２９の移動質量が大きいため、バランスを取るのに僅かな移動量で済み、より傾斜のきつい斜面に対応することができる。又、本実施の形態においても、モータケース組２９からバッテリボックス３４を分離し、このバッテリボックス３４を移動可能として重量バランスを取ることも可能である。
【００５５】
＜実施の形態４＞
次に、本発明の実施の形態４を図１０〜図１２に基づいて説明する。
【００５６】
図１０は本発明の実施の形態４に係るアタッチメント式草刈機の側面図、図１１は図１０のＥ−Ｅ線断面図である。
【００５７】
図１０に示すアタッチメント式草刈機１’は、主操作部４２のシャフトパイプ４３の先端に刈刃アタッチメント４４をジョイント４５によって着脱可能に装着して構成されるものであって、主操作部４２は、前記シャフトパイプ４３とその上端部に固定されたケース４６とで構成されており、図示しないが、ケース４６内にはモータとバッテリ及び減速機が収納されている。尚、図示しないが、シャフトパイプ４３の内部には、駆動シャフトが挿通しており、この駆動シャフトの一端（上端）は不図示の減速機を介してモータに連結されており、モータの回転力は減速機を経て駆動シャフトに伝達される。
【００５８】
又、図１０に示すように、シャフトパイプ４３の長手方向中間部の外周には主ハンドル４７が結着されており、この主ハンドル４７にはモータを起動／停止するためのスイッチ４８が取り付けられている。更に、シャフトパイプ４３の主ハンドル４７の前方には補助ハンドル４９が着脱可能に固定されており、この補助ハンドル４９と主ハンドル４７の間には肩掛バンド１５が取り付けられている。
【００５９】
一方、刈刃アタッチメント４４は、ギヤボックス５０を備えており、該ギヤボックス５０にはシャフトパイプ５１が斜めに上方から差し込まれて固定されている。尚、図示しないが、シャフトパイプ５１内には従動シャフトが挿通しており、該従動シャフトは、ギヤボックス５０内に収納されたベベルギヤを介してスピンドルに連結されており、スピンドルの下端部には円板状の刈刃５が結着されている。
【００６０】
而して、刈刃アタッチメント４４をジョイント４５によって主操作部４２に装着することによって図１０に示すアタッチメント式草刈機１’が構成されるが、このとき同時に主操作部４２の駆動シャフトと刈刃アタッチメント４４の従動シャフトが連結される。尚、当該アタッチメント式草刈機１’においては、ジョイント４５によって連結されたシャフトパイプ４３，５１が長尺バーを構成している。
【００６１】
而して、本実施の形態に係るアタッチメント式草刈機１’においては、前記実施の形態１と同様のバランスウェイト１７がシャフトパイプ４３の主ハンドル４７とケース４６との間に位置調整可能に取り付けられている。尚、バランスウェイト１７の構成と取付構造は前記実施の形態１と同様であるため、図１１においては図２に示したものと同一要素には同一符号を付しており、以下、それらについての再度の説明は省略する。
【００６２】
従って、本実施の形態に係るアタッチメント式草刈機１’を用いた草刈作業に際しては、作業者は肩掛けバンド１５を肩に掛け、主ハンドル４７と補助ハンドル４９を握り、全体の重量バランスが崩れている場合には、指で蝶ナット２２を緩め、バランスウェイト１７をシャフトパイプ４３に沿って重量バランスが良くなる方向へ移動させてその位置を調整し、重量バランスが取れた位置で蝶ナット２２を締め付けてバランスウェイト１７をその位置に固定する。
【００６３】
上述のようにしてアタッチメント式草刈機１’の重量バランスが良好に調整された後、主ハンドル４７に設けられたスイッチ４８をＯＮすると、ケース４６に内蔵されたバッテリからモータに給電されて該モータが起動され、その回転は減速機によって減速されて駆動シャフトに伝達され、この駆動シャフトの回転は刈刃アッタッチメント４４の従動シャフトに伝達され、該従動シャフトが所定の回転数で回転駆動される。そして、この従動シャフトの回転は、ギヤボックス５０に内蔵されたベベルギヤによって方向が変えられてスピンドルへと伝達され、該スピンドルとこれに結着された刈刃５が所定の速度で回転駆動され、回転する刈刃５によって草や枝が刈り込まれる。
【００６４】
而して、本実施に形態においても、作業者の体格や刃具の種類、作業条件等に応じてバランスウェイト１７の取付位置を調整することができるため、アタッチメント式草刈機１’の重量バランスを良好に保つことができ、所要の草刈作業を作業性良く行うことができる。
【００６５】
尚、バランスウェイト１７の取付位置は本実施の形態に限定されず、取り付けが可能な位置であれば任意である。例えば、図１２に示すように、ケース４６にクランプ用バー５２を取り付け、このクランプ用バー５２にバランスウェイト１７を取り付ける構成を採用することもできる。
【００６６】
又、図１３及び図１４に示すように、バランスウェイト１７に照明装置５３を設けることもできる。
【００６７】
即ち、図１３は照明装置が設けられたバランスウェイトの断面図、図１４は図１３のＦ−Ｆ線断面図であり、バランスウェイト１７は、幅広の上クランプ１８と該上クランプ１８の幅方向中央に配された幅狭の下クランプ１９の各一端同士をピン２０によって回転可能に連結して構成され、上クランプ１８と下クランプ１９の各他端には長尺バー２の外周の沿った円弧状の凹部がそれぞれ形成され、これらの凹部間に長尺バー２が挟持されている。又、上クランプ１８と下クランプ１９の長手方向中央部にはボルト２１が挿通しており、このボルト２１の端部に螺合する蝶ナット２２を締め付けることによってバランスウェイト１７が長尺バー２に取り付けられる。そして、蝶ナット２２を緩めることによってバランスウェイト１７の固定を解除し、該バランスウェイト１７を長尺バー２に沿って移動させた後、再び蝶ナット２２を締め付けてバランスウェイト１７を長尺バー２に固定することによって該バランスウェイト１７の位置を任意に調整することができる。
【００６８】
而して、図１３に示すように、下クランプ１９には丸軸１９Ａが一体に突設されており、該丸軸１９Ａの端部にはボール１９Ｂが一体に形成されている。そして、ボール１９Ｂには、端部同士が連結ピン５４によって結合された幅広の上カバー５５と幅狭の下カバー５６によって構成される照明装置５３がボール１９Ｂを中心として傾動可能に取り付けられており、この照明装置５３の上カバー５５の連結ピン５４の反対側には不図示のライトとライト用電池を収納したライト収納部５７が設けられており、このライト収納部５７には、ライトの点灯／消灯を行うスイッチ５８とライト用レンズ５９が設けられている。尚、上カバー５５と下カバー５６には、ボール１９Ｂの外周面に沿う半球状凹部５５ａ，５６ａ（図１４参照）と照明装置５３のボール１９Ｂを中心とする傾動を許容するテーパ面５５ｂ，５６ｂ（図１３参照）がそれぞれ形成されている。
【００６９】
そして、図１４に示すように、照明装置５３の上カバー５５と下カバー５６にはボルト６０が挿通しており、該ボルト６０の端部には蝶ナット６１が螺合している。従って、蝶ナット６１を緩めれば照明装置５３をボール１９Ｂを中心として傾動させて照明位置５３の取付角度を調整することができ、調整後は蝶ナット６１を締め付ければ照明装置５３を固定することができる。
【００７０】
このように照明装置５３をバランスウェイト１７に設ければ、該照明装置５３によって作業部位に光を照射して草刈作業を作業性良く行うことができるとともに、照明装置５３の角度を調整することによって適正な箇所を広範囲に照明することができる。
【００７１】
尚、以上は本発明をモータを駆動源とするコードレスの草刈機に適用した形態について説明したが、本発明は、草刈機に適用が限定される訳ではなく、草刈機以外の植木バリカンや園芸バリカン等、他の任意の園芸工具は勿論のこと、エンジンを駆動源とする園芸工具やコード付きの園芸工具等に対しても同様に適用可能である。
【図面の簡単な説明】
【００７２】
【図１】本発明の実施の形態１に係るコードレス草刈機の側面図である。
【図２】図１のＡ−Ａ線断面図である。
【図３】図２の矢視Ｂ方向の図である。
【図４】本発明の実施の形態２に係るコードレス草刈機上端部の破断側面図である。
【図５】図４のＣ−Ｃ線断面図である。
【図６】本発明の実施の形態３に係るコードレス草刈機の側面図である。
【図７】本発明の実施の形態３に係るコードレス草刈機のモータ駆動軸の横断面図である。
【図８】本発明の実施の形態３に係るコードレス草刈機のモータケース組の破断側面図である。
【図９】図８のＤ−Ｄ線断面図である。
【図１０】本発明の実施の形態４に係るアタッチメント式草刈機の側面図である。
【図１１】図１０のＥ−Ｅ線断面図である。
【図１２】バランスウェイトの取付例を示す部分側面図である。
【図１３】照明装置が設けられたバランスウェイトの断面図である。
【図１４】図１３のＦ−Ｆ線断面図である。
【符号の説明】
【００７３】
１        コードレス草刈機（園芸工具）
１’      アタッチメント式草刈機（園芸工具）
２        長尺バー
３        モータハウジング
４        フランジ
５        刈刃
６        ナット
７        スイッチハンドル
７Ａ      スイッチハンドルのガードバー
７ａ      スイッチハンドルのキー溝
８        ネジ
９        バッテリケース
９Ａ      バッテリケースの嵌合部
９Ｂ      バッテリケースの鍔部
９ａ      バッテリケースのすり割溝
９ｂ      バッテリケースのキー溝
１０      スイッチ
１１      バッテリ
１２      電源コード
１３      操作ハンドル
１４      固定ネジ
１５      肩掛けバンド
１６      取付金具
１７      バランスウェイト
１８      上クランプ
１８ａ    上クランプの凹部
１９      下クランプ
１９Ａ    下クランプの丸軸
１９Ｂ    下クランプのボール
１９ａ    下クランプの凹部
２０      ピン
２１      ボルト
２２      蝶ナット
２３      ストッパ
２４      ネジ
２５      蝶ナット
２６      キー
２７      電源線
２８      ギヤボックス
２９      モータケース組
３０      アダプタ
３０Ａ    アダプタの鍔部
３０ａ    鍔部のスプライン
３１      ネジ
３２      モータ
３２ａ    モータ出力軸
３３      モータケース
３３Ａ    モータケースの嵌合孔
３３ａ    嵌合孔のスプライン
３４      バッテリボックス
３５      スイッチ操作ハンドル
３６      駆動シャフト
３７      ソケット
３７ａ    ソケットの嵌合穴
３８      ストッパ
３８ａ    ストッパのすり割溝
３９      フランジ
４０      ネジ
４１      蝶ナット
４２      主操作部
４３      シャフトパイプ（長尺バー）
４４      刈刃アタッチメント
４５      ジョイント
４６      ケース
４７      主ハンドル
４８      スイッチ
４９      補助ハンドル
５０      ギヤボックス
５１      シャフトパイプ（長尺バー）
５２      クランプ用バー
５３      照明装置
５４      連結ピン
５５      上カバー
５５ａ    上カバーの半球状凹部
５５ｂ    上カバーのテーパ面
５６      下カバー
５６ａ    下カバーの半球状凹部
５６ｂ    下カバーのテーパ面
５７      ライト収納部
５８      スイッチ
５９      ライト用レンズ
６０      ボルト
６１      蝶ナット
【図１】
2009072149.tif 000003
【図２】
2009072149.tif 000004
【図３】
2009072149.tif 000005
【図４】
2009072149.tif 000006
【図５】
2009072149.tif 000007
【図６】
2009072149.tif 000008
【図７】
2009072149.tif 000009
【図８】
2009072149.tif 000010
【図９】
2009072149.tif 000011
【図１０】
2009072149.tif 000012
【図１１】
2009072149.tif 000013
【図１２】
2009072149.tif 000014
【図１３】
2009072149.tif 000015
【図１４】
2009072149.tif 000016